(57)【要約】【課題】プロジェクションＴＶなどの画像表示装置において表示画像サイズを変更可能とする。【解決手段】光源１１と、前記光源１１からの照明光を画像データに基づいて変調する光変調素子（液晶パネル３Ｒ，３Ｇ，３Ｂ）と、前記光変調素子が有する画像形成領域のうちの特定画像形成領域を照明するために前記光変調素子に対する照明領域を縮小可能な照明領域変更手段（ズームレンズ１３）と、前記照明領域変更手段を制御する照明領域制御部１０５ａ及び前記画像データに対し前記特定画像形成領域に対応した解像度変換を行う解像度変換部１０５ｂを有する画像表示処理部１０５とを有する。【選択図】図３
2007304563.tif 000002
【特許請求の範囲】
【請求項１】
光源と、
前記光源からの照明光を画像データに基づいて変調する光変調素子と、
前記光変調素子が有する画像形成領域のうちの特定画像形成領域を照明するために前記
光変調素子に対する照明領域を縮小可能な照明領域変更手段と、
前記照明領域変更手段を制御する照明領域制御部及び前記画像データに対し前記特定画
像形成領域に対応した解像度変換を行う解像度変換部を有する画像表示処理部と、
を有することを特徴とする画像表示装置。
【請求項２】
請求項１に記載の画像表示装置において、
前記特定画像形成領域以外の領域を遮光可能な遮光手段を有し、
前記画像表示処理部は、前記照明領域変更手段に対し前記照明領域を縮小するための制
御を行う際に前記特定画像形成領域以外の領域を遮光するように前記遮光手段を制御する
遮光手段制御部を有することを特徴とする画像表示装置。
【請求項３】
請求項１又は２に記載の画像表示装置において、
前記画像表示処理部は、前記照明領域変更手段に対し前記照明領域を縮小する制御を行
う際に前記特定画像形成領域以外の領域に黒画像を挿入する黒画像挿入制御部を有するこ
とを特徴とする画像表示装置。
【請求項４】
請求項１〜３のいずれかに記載の画像表示装置において、
前記特定画像形成領域は、前記特定画像形成領域の中心が、前記光変調素子が有する画
像形成領域の中心または中心近傍の位置に形成されることを特徴とする画像表示装置。
【請求項５】
請求項１〜４のいずれかに記載の画像表示装置において、
前記画像表示装置は、前記光源を含む照明光学系と、前記光変調素子で変調された光を
投写する投写光学系とを有するプロジェクタであることを特徴とする画像表示装置。
【請求項６】
請求項５に記載の画像表示装置において、
前記画像表示処理部は、前記光源の出力を制御する機能を有し、前記照明領域変更手段
に対し前記照明領域を縮小するための制御を行う際には、前記光源の出力を前記照明領域
を縮小しない場合に比べて小さくする制御を行うことを特徴とする画像表示装置。
【請求項７】
請求項５又は６に記載の画像表示装置において、
前記特定画像形成領域は、前記光変調素子が有する画像形成領域において所定のタイミ
ングごとに位置が変化するように形成されることを特徴とする画像表示装置。
【請求項８】
請求項５〜７のいずれかに記載の画像表示装置において、
前記所定のタイミングごとの位置の変化は、前記光変調素子を当該光変調素子に入射す
る照明光の光軸に直交する平面上で移動させることによって行うことを特徴とする画像表
示装置。
【請求項９】
請求項５〜７のいずれかに記載の画像表示装置において、
前記所定のタイミングごとの位置の変化は、前記照明光学系から出力される照明光の光
軸を平行移動させることによって行うことを特徴とする画像表示装置。
【請求項１０】
請求項９に記載の画像表示装置において、
前記照明光学系から出力される照明光の光軸を平行移動させる際、表示面での表示画像
の中心が前記表示面の中心また中心近傍の位置となるように前記投写光学系の光軸を移動
させる制御を行うことを特徴とする画像表示装置。
【請求項１１】
請求項５〜１０のいずれかに記載の画像表示装置において、
前記照明光学系はズームレンズを有し、
前記照明領域変更手段は、前記ズームレンズのズーム量を変化させることによって前記
照明領域を縮小することを特徴とする画像表示装置。
【請求項１２】
請求項５〜１１のいずれかに記載の画像表示装置において、
前記投写光学系は焦点固定型であることを特徴とする画像表示装置。
【請求項１３】
請求項５〜１２のいずれかに記載の画像表示装置において、
前記投写光学系から投写される画像を表示する表示面を有することを特徴とする画像表
示装置。
【請求項１４】
請求項１〜４のいずれかに記載の画像表示装置において、
前記画像表示装置は、直視型の画像表示装置であって、
前記光源は複数設けられ、
前記照明領域変更手段は、前記光変調素子に対する照明領域を縮小可能とするために前
記複数の光源のうちの前記特定画像形成領域に対応する光源を点灯させる制御を行う、
ことを特徴とする画像表示装置。
【請求項１５】
請求項１４に記載の画像表示装置において、
前記特定画像形成領域は、前記光変調素子が有する画像形成領域において所定のタイミ
ングごとに位置が変化するように形成されることを特徴とする画像表示装置。
【請求項１６】
光源と、前記光源からの照明光を画像データに基づいて変調する光変調素子と、前記光
変調素子が有する画像形成領域のうちの特定画像形成領域を照明するために前記光変調素
子に対する照明領域を縮小可能な照明領域変更手段とを有する画像表示装置における画像
表示制御装置であって、
前記照明領域変更手段を制御する照明領域制御部及び前記画像データに対し前記特定画
像形成領域に対応した解像度変換を行う解像度変換部を有する画像表示処理部を有するこ
とを特徴とする画像表示装置における画像表示制御装置。
【発明の詳細な説明】
【技術分野】
【０００１】
本発明は画像表示装置及び画像表示装置における画像表示制御装置に関する。
【背景技術】
【０００２】
広角レンズや反射ミラーを用いて、スクリーンの背面側から投写画像を形成する背面投
写型プロジェクタや、背面投写型プロジェクタに採用されている光学系を応用した前面投
写型プロジェクタが知られている。
【０００３】
プロジェクションテレビジョン（プロジェクションＴＶという）などの画像表示装置に
用いられる背面型プロジェクタは、投写レンズとスクリーンとの距離が一定であることを
前提にして投写光学系が設計されることが多く、投写レンズには投写画像の拡大・縮小を
行うズーム機能がないのが一般的である。
【０００４】
また、プロジェクションＴＶでは、装置筐体をより薄型とするために、表示面に対して
投写レンズの光軸が垂直でない状態で配置された構造となっているのが一般的である。た
とえば、特許文献１に開示された技術もその一例である。
【０００５】
プロジェクションＴＶがこのような構造であるため、光学歪みやスクリーンと投写光と
の干渉による「モアレ」が発生する可能性がある。このため、投写光学系はそれを防止す
る目的で微小なズームを可能とする機能を有する程度であり、プロジェクションＴＶでは
、画面サイズを変更可能とするようなズーム機能を投写光学系に設けることは現実的では
ない。
【０００６】
このことは、プロジェクションＴＶなどの画像表示装置だけでなく、背面投写型プロジ
ェクタと同様の光学系を応用した焦点固定型の前面投写型のプロジェクタを用いた画像表
示装置（図１６参照）においても同様のことが言える。この画像表示装置は、図１６に示
すように、表示面５の至近距離にプロジェクタＰＪを設置して表示面５上で大画面画像を
投写可能とするものである。
【０００７】
【特許文献１】特開平６−１３８３８６号公報
【発明の開示】
【発明が解決しようとする課題】
【０００８】
ところで、プロジェクションＴＶなどによってＴＶ番組を視聴する際、スポーツ番組や
映画番組などは、大画面かつ高精細画面で視聴することが好ましいとされるが、ニュース
や娯楽番組は、大画面かつ高精細画面で視聴する必要性はそれほど高いものではないと考
えられる。また、一般の家庭では、ニュースや娯楽番組などを視聴している時間の方が圧
倒的に多く、しかも、放映されている番組を特別に興味を持って視聴するでもなく、何気
なく画面を見ているといった状況も多い。このような状況においては、必ずしも大画面か
つ高精細表示を行う必要はないと考えられる。
【０００９】
このような現状がある一方で、プロジェクションＴＶなどは、より大画面かつ高精細化
が進み、それに伴って、より明るい画面を確保することがなされている。すなわち、大画
面かつ高精細画面をあまり必要としない番組でも常に大画面かつ高精細画面で表示するよ
うになっている。これは、不必要な電力を消費していることとなり、省エネルギという観
点で考えると好ましいことではない。なお、このことは、プロジェクションＴＶだけでな
く、前述した焦点固定型の前面投写型のプロジェクタを用いた画像表示装置や直視型の大
画面の液晶ＴＶや大画面のプラズマＴＶなどにおいても同様のことが言える。
【００１０】
一方、前述の特許文献１に開示された技術は、プロジェクタを用いた画像表示装置をよ
り小型化することのできる投写レンズを提供するとともに、その投写レンズを使用するこ
とによって小型で薄型の画像表示装置を提供することを目的とするものであるが、特許文
献１に開示された技術においても前述した課題は存在する。
【００１１】
そこで本発明は、照明光学系を制御することにより表示画面サイズの変更を可能とする
とともに、表示画面サイズを縮小するように表示画面サイズの変更を行った場合には、光
源の出力を小さくする制御を行うことで消費電力の削減を図ることのできる画像表示装置
及び画像表示装置における画像表示制御装置を提供することを目的とする。
【課題を解決するための手段】
【００１２】
（１）本発明の画像表示装置は、光源と、前記光源からの照明光を画像データに基づい
て変調する光変調素子と、前記光変調素子が有する画像形成領域のうちの特定画像形成領
域を照明するために前記光変調素子に対する照明領域を縮小可能な照明領域変更手段と、
前記照明領域変更手段を制御する照明領域制御部及び前記画像データに対し前記特定画像
形成領域に対応した解像度変換を行う解像度変換部を有する画像表示処理部とを有するこ
とを特徴とする。
【００１３】
本発明の画像表示装置は、光変調素子が有する本来の画像形成領域のうちの特定画像形
成領域を照明するために前記光変調素子に対する照明領域を縮小可能な機能と、表示すべ
き画像データに対し前記特定画像形成領域に対応した解像度変換を行う機能とを有してい
る。これにより、表示面上に表示される表示画像の画面サイズを、本来の画面サイズより
も小さい画面サイズとするというような画面サイズの変更を行うことができる。これによ
り、たとえば、ユーザがテレビジョン番組などを視聴しているときに、番組の内容などに
応じて、画像表示装置を大画面サイズとしたり、小画面サイズとしたりすることが可能と
なる。
【００１４】
（２）前記（１）に記載の画像表示装置においては、
前記特定画像形成領域以外の領域を遮光可能な遮光手段を有し、前記画像表示処理部は
、前記照明領域変更手段に対し前記照明領域を縮小するための制御を行う際に前記特定画
像形成領域以外の領域を遮光するように前記遮光手段を制御する遮光手段制御部を有する
ことが好ましい。
【００１５】
このような遮光手段を設けることにより、前記特定画像形成領域以外の領域を確実に遮
光することができ、特定画像形成領域を光変調素子上で適切に形成することができる。な
お、遮光手段としては、例えば、光透過率を０％又は１００％に制御することによって特
定画像形成領域以外の領域を遮光可能な液晶パネルやエレクトロクロミックガラスなどを
用いた遮光手段を用いることができる。
【００１６】
（３）前記（１）又は（２）に記載の画像表示装置においては、前記画像表示処理部は
、前記照明領域変更手段に対し前記照明領域を縮小する制御を行う際に前記特定画像形成
領域以外の領域に黒画像を挿入する黒画像挿入制御部を有することが好ましい。
【００１７】
このように、特定画像形成領域以外の領域に黒画像を挿入することによっても、特定画
像形成領域を光変調素子上で適切に形成することができる。なお、黒画像挿入と、前記（
２）に記載の遮光手段とを組み合わせることも可能であり、両者を組み合わせることによ
り、特定画像形成領域を光変調素子上で、より適切に形成することができる。
【００１８】
（４）前記（１）〜（３）のいずれかに記載の画像表示装置においては、前記特定画像
形成領域は、前記特定画像形成領域の中心が、前記光変調素子が有する画像形成領域の中
心又は中心近傍の位置に形成されることが好ましい。
これにより、小画面サイズの表示を行う場合であっても、その小画面サイズの表示画像
の中心をスクリーンなどの表示面の中心又はその近傍に位置させることができ、ユーザは
違和感なく視聴することができる。
【００１９】
（５）前記（１）〜（４）のいずれかに記載の画像表示装置においては、前記画像表示
装置は、前記光源を含む照明光学系と、前記光変調素子で変調された光を投写する投写光
学系とを有するプロジェクタであることが好ましい。
【００２０】
この場合のプロジェクタは、例えば、プロジェクションＴＶなどに用いられる焦点固定
型のプロジェクタを想定したものである。（５）に記載のプロジェクタが、前記（１）〜
（４）に記載の特徴を有することによって、当該プロジェクタをプロジェクションＴＶな
どに用いることにより、番組などに応じて、表示面上に表示される表示画像の画面サイズ
を本来の画面サイズよりも小さい画面サイズとするというような画面サイズの変更が可能
となる。
【００２１】
（６）前記（５）に記載の画像表示装置においては、前記画像表示処理部は、前記光源
の出力を制御する機能を有し、前記照明領域変更手段に対し前記照明領域を縮小するため
の制御を行う際には、前記光源の出力を前記照明領域を縮小しない場合に比べて小さくす
る制御を行うことが好ましい。
【００２２】
これは、画面サイズを小画面サイズに設定した場合には、それに伴って光源の出力を小
さくすることができるということである。このように、小画面サイズに設定した場合には
、それに合わせて光源の出力を小さくするような光源の制御を行うことにより、無駄な電
力消費を抑え、省エネルギ化に貢献できるものとなる。
【００２３】
（７）前記（５）又は（６）に記載の画像表示装置においては、前記特定画像形成領域
は、前記光変調素子が有する画像形成領域において所定のタイミングごとに位置が変化す
るように形成されることが好ましい。
このように、特定画像形成領域を前記光変調素子が有する本来の画像形成領域上で所定
のタイミングごとに移動させることにより、特定画像形成領域が光変調素子上で常に同じ
位置に形成されることがなくなり、光変調素子のある特定の領域が他の領域に比べて、よ
り速く経時劣化が進んでしまうといった不具合を防止することができる。
【００２４】
（８）前記（５）〜（７）のいずれかに記載の画像表示装置においては、前記所定のタ
イミングごとの位置の変化は、前記光変調素子を当該光変調素子に入射する照明光の光軸
に直交する平面上で移動させることによって行うことが好ましい。
このように、前記光変調素子を当該光変調素子に入射する照明光の光軸に直交する平面
上で移動させることによって、前記光変調素子が有する本来の画像形成領域上において、
前記特定画像形成領域の位置を所定のタイミングごとに変化させることができる。
【００２５】
（９）前記（５）〜（７）のいずれかに記載の画像表示装置においては、前記所定のタ
イミングごとの位置の変化は、前記照明光学系から出力される照明光の光軸を平行移動さ
せることによって行うこともまた好ましい。
このように、前記照明光学系から出力される照明光の光軸を平行移動させることによっ
ても、前記光変調素子が有する本来の画像形成領域上において、前記特定画像形成領域の
位置を所定のタイミングごとに変化させることができる。
【００２６】
（１０）前記（９）に記載の画像表示装置においては、前記照明光学系から出力される
照明光の光軸を平行移動させる際、表示面での表示画像の中心が前記表示面の中心また中
心近傍の位置となるように前記投写光学系の光軸を移動させる制御を行うことが好ましい
。
これにより、照明光学系の光軸を移動させても、小画面サイズの表示画像の中心をスク
リーンなどの表示面の中心又はその近傍に位置させることができ、ユーザは違和感なく視
聴することができる。
【００２７】
（１１）前記（５）〜（１０）のいずれかに記載の画像表示装置においては、前記照明
光学系はズームレンズを有し、前記照明領域変更手段は、前記ズームレンズのズーム量を
変化させることによって前記照明領域を縮小することが好ましい。
このように、照明光学系にズームレンズを設け、ズームレンズのズーム量を変化させる
ことにより、容易に照明領域の変更が可能となる。
【００２８】
（１２）前記（５）〜（１１）のいずれかに記載の画像表示装置においては、前記投写
光学系は焦点固定型であることが好ましい。
本発明は焦点固定型の投写光学系を有するプロジェクタにおいて特に効果を有するもの
である。すなわち、焦点固定型のプロジェクタに用いられる投写光学系は、スクリーンな
どの表示面上でのモアレや光学歪を軽減するための微小なズーム調整などを可能とする程
度であって、画面サイズを変更することはできないのが一般的である。
【００２９】
このような焦点固定型のプロジェクタにおいても本発明によれば、スクリーンなどの表
示面上に表示される表示画像の画面サイズを本来の画面サイズよりも小さい画面サイズと
するといった画面サイズの変更を、照明光学系側における照明光の制御によって行うこと
ができる。
【００３０】
（１３）前記（５）〜（１２）に記載の画像表示装置においては、前記投写光学系から
投写される画像を表示する表示面を有することを特徴とする画像表示装置。
【００３１】
このように、（５）〜（１２）のいずれかに記載の画像表示装置と表示面とを有する画
像表示装置としては、プロジェクションＴＶを一例として挙げることができる。このよう
なプロジェクションＴＶにおいて、表示面上に表示される表示画像の画面サイズを本来の
画面サイズよりも小さい画面サイズとするというような画面サイズの変更を、容易に行う
ことができる。したがって、たとえば、スポーツや映画などのように大画面サイズが好ま
しい番組の場合は、当該プロジェクションＴＶが有する本来の大画面かつ高精細画面で視
聴し、ニュース番組など大画面サイズの必要性の低い番組を視聴する際は、小画面サイズ
で視聴するといったことが可能となる。
【００３２】
また、（５）〜（１２）のいずれかに記載の画像表示装置と表示面とを有する画像表示
装置としては、プロジェクションＴＶだけでなく、焦点固定型のプロジェクタを用いた前
面投写型の画像表示装置（図１６参照）とすることも可能である。
【００３３】
（１４）前記（１）〜（４）のいずれかに記載の画像表示装置においては、前記画像表
示装置は、直視型の画像表示装置であって、前記光源は複数設けられ、前記照明領域変更
手段は、前記光変調素子に対する照明領域を縮小可能とするために前記複数の光源のうち
の前記特定画像形成領域に対応する光源を点灯させる制御を行うこともまた好ましい。
【００３４】
（１４）に記載の画像表示装置としては、直視型の大画面テレビジョン（例えば大画面
の液晶テレビなど）が一例と挙げられる。このような直視型の大画面テレビジョンにおい
ても、前記（１３）に記載のプロジェクションＴＶと同様の効果が得られる。
【００３５】
（１５）前記（１４）に記載の画像表示装置においては、前記特定画像形成領域は、前
記光変調素子が有する画像形成領域において所定のタイミングごとに位置が変化するよう
に形成されることが好ましい。
これは前記（７）と同じ特徴であり、直視型の画像表示装置においてもこのような特徴
を持たせることによって、特定画像形成領域が光変調素子上で常に同じ位置に形成される
ことがなくなり、光変調素子のある特定の領域が他の領域に比べて、より速く経時劣化が
進んでしまうといった不具合を防止することができる。
【００３６】
（１６）本発明の画像表示装置における画像表示制御装置は、光源と、前記光源からの
照明光を画像データに基づいて変調する光変調素子と、前記光変調素子が有する画像形成
領域のうちの特定画像形成領域を照明するために前記光変調素子に対する照明領域を縮小
可能な照明領域変更手段とを有する画像表示装置における画像表示制御装置であって、前
記照明領域変更手段を制御する照明領域制御部及び前記画像データに対し前記特定画像形
成領域に対応した解像度変換を行う解像度変換部を有する画像表示処理部を有することを
特徴とする。
【００３７】
画像表示装置における画像表示制御装置がこのような機能を有する画像表示処理部を有
することによって、前記（１）に記載の画像表示装置を実現することができる。
なお、（１６）に記載の画像表示装置における画像表示制御装置においても、前記（２
）〜（１５）に記載の画像表示装置と同様の特徴を有することが好ましい。
【発明を実施するための最良の形態】
【００３８】
以下、本発明の実施形態について説明する。なお、以下に示す各実施形態のうち、実施
形態１〜４においては、画像表示装置はプロジェクタ及びプロジェクションＴＶであって
、実施形態５においては、画像表示装置は直視型の画像表示装置（例えば液晶テレビジョ
ンなど）であるとして説明する。
【００３９】
［実施形態１］
図１は実施形態１に係るプロジェクタにおける光学系の構成を示す図である。実施形態
１に係るプロジェクタは、光変調素子として３板式の透過型の液晶パネルを用いたプロジ
ェクタであり、このプロジェクタは、プロジェクションＴＶなどに用いられる焦点固定型
のプロジェクタであるとする。
【００４０】
実施形態１に係るプロジェクタにおける光学系は、図１に示すように、照明光学系１と
、色分離光学系２と、色分離光学系２で分離されたＲ（赤），Ｇ（緑），Ｂ（青）の３つ
の色光のそれぞれに対応する液晶パネル３Ｒ，３Ｇ，３Ｂと、液晶パネル３Ｒ，３Ｇ，３
Ｂで変調された色光を合成するクロスダイクロイックプリズム４と、クロスダイクロイッ
クプリズム４によって合成された光を表示面５に投写する投写光学系（投写レンズ６）と
を有している。
【００４１】
照明光学系１は、光源１１、インテグレータレンズ１２、照明領域変更手段としてのズ
ームレンズ１３を有している。なお、ズームレンズ１３の機能については後述する。
また、液晶パネル３Ｒ，３Ｇ，３Ｂには、それぞれ偏向板７が対向配置され、これら各
偏向板７の光入射側にはそれぞれ遮光手段としての遮光板８が対向配置されている。
色分離光学系２は、ダイクロイックミラー２１，２２、反射鏡２３，２４，２５、集光
レンズ２６，２７などを有している。
【００４２】
ズームレンズ１３は、そのズーム量を変化させることで、液晶パネル３Ｒ，３Ｇ，３Ｂ
が有する本来の画像形成領域のうちのある特定の画像形成領域（特定画像形成領域という
）を照明するために、液晶パネル３Ｒ，３Ｇ，３Ｂに対する照明領域を縮小可能する機能
を有している。一方、投写レンズ６は焦点固定型であり、表示面５上でのモアレや光学歪
を軽減するための微小なズームなどの調整機能のみを有するものとする。
【００４３】
図２は液晶パネル３Ｒ，３Ｇ，３Ｂに対して照明領域を縮小する例を示す図である。図
２は液晶パネル（赤色用の液晶パネル３Ｒについて説明する）が有する本来の画像形成領
域に対して２種類の照明領域を形成可能とする例である。
【００４４】
すなわち、図２において、破線で示す外側の枠で囲まれる領域Ａ１は液晶パネル３Ｒが
有する本来の画像形成領域全面を照明する場合の照明領域（照明領域Ａ１という）であり
、破線で示す内側の枠で囲まれる領域は、特定画像形成領域(図２における白抜きで示す
領域)を照明するための照明領域（照明領域Ａ２という）を示している。また、灰色で示
す領域は遮光板８による遮光領域である。
【００４５】
このように、本発明の実施形態１においては、照明光学系１による液晶パネル３Ｒ，３
Ｇ，３Ｂに対する照明領域は、液晶パネル３Ｒ，３Ｇ，３Ｂが有する本来の画像形成領域
全面を照明可能とするための照明領域Ａ１と、液晶パネル３Ｒ，３Ｇ，３Ｂの特定画像形
成領域を照明可能とするための照明領域Ａ２の２種類に設定可能であるとする。
【００４６】
すなわち、液晶パネル３Ｒ，３Ｇ，３Ｂが有する本来の画像形成領域全面を照明する場
合は、図２に示すように、液晶パネル３Ｒ，３Ｇ，３Ｂ（図２においては液晶パネル３Ｒ
のみが示されている）が有する本来の画像形成領域全面を包含するような照明領域Ａ１が
形成され、特定画像形成領域を照明する場合は、特定画像形成領域を包含可能な面積を有
する照明領域Ａ２が形成される。
【００４７】
この照明領域Ａ１から照明領域Ａ２への切り替えは、ズームレンズ１３のズーム量を制
御することによって行うことができる。また、照明領域Ａ２を形成する際には、特定画像
形成領域以外の領域に光が照射されないように、遮光手段としての遮光板８によって特定
画像形成領域以外の領域を遮光する。
【００４８】
遮光手段としての遮光板８は、非光透過の板を機械的に移動させて特定画像形成領域以
外の領域を遮光する機械的な遮光手段を用いることが可能である。また、このような機械
的な遮光手段の他に、光透過率をほぼ０％とほぼ１００％とに切り替え可能な液晶パネル
やエレクトロクロミックガラスなどを用いることも可能である。また、特定画像形成領域
以外の領域に黒画像挿入を行うようにしてもよい。本発明の各実施形態では、黒画像挿入
と遮光板８を組み合わせることとする。
【００４９】
図３は実施形態１に係るプロジェクタにおける画像表示制御装置の構成を示す図である
。実施形態１に係るプロジェクタにおける画像表示制御装置１００は、表示すべき画像デ
ータを入力する画像データ入力部１０１、表示面５における画面サイズの大きさなど各種
設定が可能なユーザインタフェース（ＵＩ）部１０２、本発明の画像表示制御装置１００
が行う処理に必要な各種のデータを記憶する記憶部１０３、液晶パネル３Ｒ，３Ｇ，３Ｂ
を駆動する液晶パネル駆動部１０４Ｒ，１０４Ｇ，１０４Ｂ、画像表示を行うに必要な各
種の処理を行う画像表示処理部１０５を有している。
【００５０】
なお、画像表示処理部１０５は、照明光学系ズーム駆動部１３１に対し、照明領域の縮
小動作及び縮小された照明領域を本来の照明領域に復帰させる動作を行わせる照明領域制
御部１０５ａと、画像データ入力部１０１に入力された画像データに対して解像度変換を
行う解像度変換部１０５ｂと、遮光板駆動部８１に対し、特定画像形成領域以外の領域の
遮光及び遮光の解除を行わせる遮光手段制御部１０５ｃと、特定画像形成領域以外の領域
に黒画像を挿入する黒画像挿入制御部１０５ｄと、光源駆動部１１１に対し、光源１１の
出力を変化させる光源出力制御部１０５ｅとを有している。
また、画像表示処理部１０５は、色補正処理など各種の補正処理を行う機能、ユーザイ
ンタフェース部１０２によるユーザの設定内容に応じた処理を行う機能なども有している
。
【００５１】
図４はプロジェクションＴＶの構成を概略的に示す図である。図４に示すプロジェクシ
ョンＴＶは、筐体２００の前面側に設けられた表示面５、この表示面５の背面側から画像
の投写を行うプロジェクタＰＪ、プロジェクタＰＪからの投写される画像を表示面５に投
写させるための反射ミラー２０１などを有している。
【００５２】
図４に示すプロジェクションＴＶにおいて用いられるプロジェクタＰＪとしては、実施
形態１に係るプロジェクションＴＶの場合、図１に示すような光学系を有するプロジェク
タが用いられる。また、プロジェクタＰＪの画像表示制御装置は、図３に示す画像表示制
御装置１００の構成を有している。なお、画像表示制御装置１００は、プロジェクタＰＪ
内に収納されていてもよいが、プロジェクタＰＪとは別体としてプロジェクションＴＶの
筐体２００内に設けられていてもよい。
【００５３】
このように構成されたプロジェクションＴＶにおいて、番組などに応じて画面サイズを
変更する例について説明する。図４に示すプロジェクションＴＶにおいては、画面サイズ
は当該プロジェクションＴＶが有する本来の画面サイズ（大画面サイズという）とそれよ
りも小さな画面サイズ（小画面サイズという）の２段階に切り替え可能となっているもの
とする。
【００５４】
ここでは、スポーツや映画番組のように大画面サイズに適するとされる番組を視聴する
場合には、そのプロジェクションＴＶが有する本来の大画面サイズに設定したまま視聴し
、ニュース番組のように大画面サイズでの視聴する必要性の低い番組の場合は小画面サイ
ズに設定して視聴するもとする。
【００５５】
このような画面サイズの設定は、ユーザインタフェース部１０２により設定できるよう
になっているものとする。たとえば、ユーザインタフェース部に「大画面」／「小画面」
の選択ボタンを設け、いずれかをユーザが選択することができるようにしてもよく、また
、大画面サイズがデフォルトとして設定されていて、「画面切り替え」といったボタンを
設け、小画面とする場合には、その「画面切り替え」ボタンを押すことによって、大画面
から小画面に切り替わり、元に戻す場合には、再度、「画面切り替え」ボタンを押すか、
スイッチなどを切ると、自動的に「大画面」に戻るようにしてもよい。
【００５６】
ここで、ユーザが小画面サイズへの切り替えを行うために、小画面サイズの設定を行っ
たとする。ユーザによって小画面サイズの設定がなされると、画像表示処理部１０５では
、解像度変換処理、色補正処理など画像表示に必要な各種の処理を行い、さらに、黒画像
挿入処理などを行い、これら各種の処理のなされた画像データを液晶パネル駆動部１０４
Ｒ，１０４Ｇ，１０４Ｂに送る。
【００５７】
なお、ここで行われる解像度変換処理は、表示すべき画像データを液晶パネル３Ｒ，３
Ｇ，３Ｂの特定画像形成領域に対応した解像度に変換する処理である。具体的には、大画
面サイズが５０インチ程度であって、その解像度が、たとえば、１９２０画素×１０８０
画素であれば、小画面サイズ（２５インチ程度とする）とした場合には、たとえば、アス
ペクト比を変えないとすれば、８５４画素×４８０画素というような解像度に変換する。
【００５８】
また、画像表示処理部１０５では、照明光学系ズーム駆動部１３１、遮光板駆動部８１
、光源駆動部１１１をそれぞれ制御する。これにより、ズームレンズ１３が所定量だけズ
ーム動作し、液晶パネル３Ｒ，３Ｇ，３Ｂに対する照明領域が縮小するように変化して、
たとえば、図２に示すような照明領域Ａ２が形成される。また、遮光板８が図２の灰色で
示す領域を遮光するように動作し、それによって、特定画像形成領域が形成される。さら
に、光源駆動部１１１が光源１１の出力すなわち光量を減少させる動作を行う。
【００５９】
この状態で画像の投写がなされると、表示面５上においては、当該プロジェクションＴ
Ｖが有する本来の画面サイズ（たとえば、５０インチ）に比べて、より小さな画面サイズ
（たとえば２５インチ）による表示がなされる。このとき、光源１１は大画面サイズの場
合に比べて出力が小さくなるような制御がなされているので、大画面サイズでの表示を行
う場合に比べて消費電力の削減を図ることができる。
【００６０】
一方、プロジェクションＴＶが有する本来の大画面サイズによる表示を行う場合は、た
とえば、ユーザにより大画面サイズの設定がなされることにより、各液晶パネル３Ｒ，３
Ｇ，３Ｂには図２に示す照明領域Ａ１が形成され、表示面５上においては、当該プロジェ
クションＴＶが有する本来の画面サイズ（大画面サイズ）による表示がなされる。
【００６１】
以上説明したように、プロジェクションＴＶに用いられるプロジェクタＰＪが図１及び
図３に示すような構成を有することにより、番組の内容などに応じてユーザは、画面サイ
ズの設定を大画面サイズと小画面サイズのいずれかに設定することができる。例えば、ユ
ーザによって小画面サイズの設定がなされると、照明光学系１に設けられたズームレンズ
１３が駆動され、かつ、遮光板８が駆動されることにより、光源１１からの照明光は、各
液晶パネル３Ｒ，３Ｇ，３Ｂの特定画像形成領域のみに照射される。
【００６２】
ところで、プロジェクションＴＶなどにおいては、大画面サイズで視聴する必要性の低
い番組が多数存在する。したがって、常に大画面サイズでの表示がなされるのではなく、
プロジェクションＴＶを視聴するユーザの好みに応じて大画面サイズ／小画面サイズのい
ずれかの画面サイズを設定可能とすることは、無駄な電力消費を抑制し、省エネルギ化に
貢献できるものとなる。
【００６３】
また、映画などを視聴する際は、部屋の明かりを暗くして視聴する低消費電力型の画像
表示装置において、ニュースなど通常の番組を視聴する際は、同じ消費電力でも画面サイ
ズを小さくすることで、部屋の明かりを暗くせずに視聴することができるといった効果も
ある。
【００６４】
［実施形態２］
実施形態２に係るプロジェクタは、液晶パネル３Ｒ，３Ｇ，３Ｂが有する本来の画像形
成領域のうちの特定画像形成領域を照明する際、液晶パネル３Ｒ，３Ｇ，３Ｂが有する本
来の画像形成領域上において所定のタイミングごとに特定画像形成領域の位置を変化させ
るようにするものである。
【００６５】
すなわち、画面サイズを小画面サイズに設定した場合、各液晶パネル３Ｒ，３Ｇ，３Ｂ
が有する本来の画像形成領域全面ではなく特定画像形成領域のみが照明されることとなる
。このように、照明対象となる特定画像形成領域が常に同じ場所であると、各液晶パネル
３Ｒ，３Ｇ，３Ｂ及び偏向板７の経時変化が均一でなくなる。このため、液晶パネル３Ｒ
，３Ｇ，３Ｂが有する本来の画像形成領域のある特定の領域及びその領域に対応する偏向
板のある特定の領域が他の領域に比べて、より速く経時劣化が進んでしまうといった不具
合が生じる。実施形態２に係るプロジェクタは、このような不具合を防止するものである
。
【００６６】
図５は実施形態２に係るプロジェクタにおける光学系の構成を示す図である。実施形態
２に係るプロジェクタにおける光学系は、各液晶パネル３Ｒ，３Ｇ，３Ｂ、偏向板７、遮
光板８を１セットとしてこれらが一体的に、各液晶パネル３Ｒ，３Ｇ，３Ｂに入力する照
明光の光軸に直交する平面上で所定量だけ移動可能な液晶パネル移動機構部３１を有する
点が異なる。その他の構成要素は、図１と同様であるので、同一部分には同一符号が付さ
れている。
【００６７】
なお、各液晶パネル３Ｒ，３Ｇ，３Ｂが移動することにより、これら各液晶パネル３Ｒ
，３Ｇ，３Ｂに対応して設けられている偏向板７と遮光板８も液晶パネル３Ｒ，３Ｇ，３
Ｂと一体的に移動するものとする。したがって、以下では、各液晶パネル３Ｒ，３Ｇ，３
Ｂ、偏向板７、遮光板８を移動させることを、液晶パネル３Ｒ，３Ｇ，３Ｂを移動させる
というように表記する。
【００６８】
図６は実施形態２に係るプロジェクタにおける画像表示制御装置の構成を示す図である
。実施形態２に係るプロジェクタにおける画像表示制御装置１００の画像表示処理部１０
５は、液晶パネル移動機構部３１を制御する液晶パネル移動機構制御部１０５ｆを有して
いる点が実施形態１に係るプロジェクタにおける画像表制御示装置と異なる。その他の構
成要素は、図３と同様であるので、同一部分には同一符号が付されている。
【００６９】
なお、実施形態２に係るプロジェクタにおいては、各液晶パネル３Ｒ，３Ｇ，３Ｂが２
次元平面上で所定量だけ移動するので、クロスダイクロイックプリズム４を各液晶パネル
３Ｒ，３Ｇ，３Ｂの移動量を考慮した大きさとする。
【００７０】
ところで、液晶パネル移動機構部３１が行う各液晶パネル３Ｒ，３Ｇ，３Ｂの移動制御
は、たとえば、ステッピングモータなどによって各液晶パネル３Ｒ，３Ｇ，３Ｂを移動さ
せることで実現可能である。
【００７１】
図７は液晶パネル３Ｒ，３Ｇ，３Ｂが有する本来の画像形成領域上において所定のタイ
ミングごとに特定画像形成領域の位置を変化させる例を示す図である。なお、図７におい
ては、液晶パネル３Ｒを例にとって説明するが、他の液晶パネル３Ｇ，３Ｂに対しても同
様に照明領域の変更を行うことができる。
【００７２】
図７（ａ）は、液晶パネル３Ｒが有する本来の画像形成領域を４分割して得られた右下
の領域を特定画像形成領域とするように液晶パネル３Ｒを移動させた例、図７（ｂ）は、
液晶パネル３Ｒが有する本来の画像形成領域を４分割して得られた右上の領域を特定画像
形成領域とするように液晶パネル３Ｒを移動させた例である。
【００７３】
また、図７（ｃ）は、液晶パネル３Ｒが有する本来の画像形成領域を４分割して得られ
た左上の領域を特定画像形成領域とするように液晶パネル３Ｒを移動させた例、図７（ｄ
）は、液晶パネル３Ｒが有する本来の画像形成領域を４分割して得られた左下の領域を特
定画像形成領域とするように液晶パネル３Ｒを移動させた例である。
【００７４】
なお、図７（ａ）〜（ｄ）において各特定画像形成領域を包含する破線で示す枠は、各
特定画像形成領域に対する照明領域Ａ２であり、また、灰色で示す領域は、遮光板８によ
って遮光された領域を示す。この場合も実施形態１と同様、遮光すべき領域に黒画像を挿
入する。
【００７５】
また、図７（ａ）〜（ｄ）に示すように各特定画像形成領域を各液晶パネル３Ｒ，３Ｇ
，３Ｂが有する本来の画像形成領域内で移動させる制御を行う際、各特定画像形成領域が
図７（ａ）〜（ｄ）に示す各位置となったとき、これら各位置における特定画像形成領域
の中心が光軸に一致するように、各液晶パネル３Ｒ，３Ｇ，３Ｂを移動制御するものとす
る。
【００７６】
したがって、投写レンズ６の光軸が表示面５の中心に設定されていれば、特定画像形成
領域が図７（ａ）〜（ｄ）の液晶パネル３Ｒ，３Ｇ，３Ｂの画像形成領域のどの位置に設
定された場合も、小画面サイズにおける表示画像の中心が表示面５の中心となる。
【００７７】
これにより、小画面サイズでの表示を行う場合であっても、小画面サイズが表示面５の
中央部に位置するので、視聴者に違和感を与えることがなくなる。なお、視聴者に違和感
のない範囲であれば、小画面サイズにおける表示画像の中心が表示面５の中心に完全に一
致せず多少ずれた位置であっても特に問題はない。
【００７８】
図７（ａ）〜（ｄ）に示すように、液晶パネル３Ｒ，３Ｇ，３Ｂを移動させる制御は、
画像表示処理部１０５からの制御信号に基づいて液晶パネル移動機構部３１が行う。具体
的には、ユーザインタフェース部１０２でユーザにより小画面の設定がなされると、画像
表示処理部１０５からの制御信号により、液晶パネル移動機構部３１が動作して各液晶パ
ネル３Ｒ，３Ｇ，３Ｂを移動制御する。
【００７９】
各液晶パネル３Ｒ，３Ｇ，３Ｂの移動制御は、ある一定時間ごと、あるいは、映像の切
り替えタイミング（番組からコマーシャルへの切り替えタイミングなど）、さらには、ス
イッチをＯＮしたタイミングなどを用いて行うことが可能である。たとえば、現在、特定
画像形成領域が図７（ａ）の位置で、ある番組を表示しているとする。その状態で、番組
からコマーシャルに切り替わったとすると、コマーシャルへの切り替えタイミングで、液
晶パネル３Ｒ，３Ｇ，３Ｂが下方へ移動し、特定画像形成領域が図７（ｂ）の位置となる
。
【００８０】
このように、実施形態２に係るプロジェクタにおいては、小画面サイズの表示を行う際
、特定画像形成領域を液晶パネル３Ｒ，３Ｇ，３Ｂが有する本来の画像形成領域上で所定
のタイミングごとに移動させる制御を行うようにしているので、特定画像形成領域が液晶
パネル３Ｒ，３Ｇ，３Ｂの常に同じ位置に形成されることがなくなる。
【００８１】
これにより、実施形態２に係るプロジェクタにおいては、実施形態１のプロジェクタに
よって得られる効果の他に、液晶パネル３Ｒ，３Ｇ，３Ｂのある特定の領域が他の領域に
比べて、より速く経時劣化が進んでしまうといった不具合を防止することができる。
【００８２】
なお、実施形態２に係るプロジェクタを用いることによっても、図４に示したプロジェ
クションＴＶを構成することができることは勿論である。すなわち、プロジェクションＴ
Ｖに用いられるプロジェクタＰＪが図５及び図６に示すような構成を有することにより、
番組の内容などに応じてユーザは、画面サイズの設定を大画面サイズと小画面サイズのい
ずれかに設定することができる。
【００８３】
[実施形態３]
前述の実施形態２に係るプロジェクタでは、各液晶パネル３Ｒ，３Ｇ，３Ｂを移動制御
することによって、液晶パネル３Ｒ，３Ｇ，３Ｂにおける画像形成領域のある特定の領域
のみが他の領域に比べて、より速く経時劣化するのを防止するようにしたが、実施形態３
に係るプロジェクタでは、照明光学系１のズームレンズ１３の光軸を平行移動させること
によって、同様の効果を得るようにする。
また、実施形態３に係るプロジェクタでは、照明光学系１のズームレンズ１３の光軸を
平行移動させる際、投写レンズ６の光軸を平行移動させることによって、表示面５上での
小画面サイズの画面の中心のずれを補正する制御も行う。
【００８４】
図８は実施形態３に係るプロジェクタにおける光学系の構成を示す図である。実施形態
３に係るプロジェクタにおける光学系は、照明光学系１のズームレンズ１３の光軸をレン
ズシフト機能などによって所定量の平行移動を可能とする照明光学系光軸移動機構部１３
２を有するとともに、投写光学系としての投写レンズ６の光軸をレンズシフト機能などに
よって所定量の平行移動を可能とする投写光学系光軸移動機構部６１を有している。その
他の構成要素は、図１と同様であるので、同一部分には同一符号が付されている。
【００８５】
図９は実施形態３に係るプロジェクタにおける画像表示制御装置の構成を示す図である
。実施形態３に係るプロジェクタにおける画像表示制御装置１００の画像表示処理部１０
５は、照明光学系光軸移動機構部１３２を制御する第１の光軸移動機構制御部１０５ｇと
、投写光学系光軸移動機構部６１を制御する第２の光軸移動機構制御部１０５ｈとを有し
ている。その他の構成要素は、図３と同様であるので、同一部分には同一符号が付されて
いる。
【００８６】
ズームレンズ１３の光軸及び投写レンズ６の光軸を平行移動させる技術としては、プロ
ジェクタに一般的に採用されているレンズシフト機能を適用することで実現できる。なお
、プロジェクタにおけるレンズシフト機能は、投写レンズ６の光軸を上下方向に平行移動
させる機能であるのが一般的である。
【００８７】
したがって、実施形態３では、プロジェクタに用いられている一般的なレンズシフト機
能を適用し、ズームレンズ１３の光軸及び投写レンズ６の光軸を上下方向へ移動制御する
ことによって、液晶パネル３Ｒ，３Ｇ，３Ｂに形成される特定画像形成領域の位置を液晶
パネル３Ｒ，３Ｇ，３Ｂが有する本来の画像形成領域上で変化させるものとする。
【００８８】
ズームレンズ１３の光軸を上方向に所定量だけ平行移動させる制御を行うことにより、
各液晶パネル３Ｒ，３Ｇ，３Ｂ上における特定画像形成領域を図１０に示すように変化さ
せることができる。なお、図１０において特定画像形成領域を包含する破線で示す枠は、
特定画像形成領域に対する照明領域Ａ２であり、また、灰色で示す領域は、遮光板８によ
って遮光された領域を示す。この場合も前述したように遮光すべき領域に黒画像を挿入す
る。
【００８９】
なお、ズームレンズ１３の光軸を平行移動させることによって、表示面５上での小画面
サイズの画面の中心がずれてしまうので、それを補正するために投写レンズ６の光軸をレ
ンズシフト機能によって所定量だけ平行移動させる。このように、ズームレンズ１３の光
軸を平行移動とともに投写レンズ６の光軸を平行移動させることで、液晶パネル３Ｒ，３
Ｇ，３Ｂ上で特定画像形成領域の位置を変化させても、表示面５上では、表示画像の位置
を変化させないようにすることができる。
【００９０】
なお、実施形態３に係るプロジェクタにおけるズームレンズ１３と投写レンズ６の移動
制御は、実施形態２に係るプロジェクタと同様、ある一定時間ごと、あるいは、映像の切
り替えタイミング（番組からコマーシャルへの切り替えタイミングなど）、さらには、ス
イッチをＯＮしたタイミングなどを用いて行うことが可能である。
【００９１】
また、前述の例では、プロジェクタが一般的に有するレンズシフト機能を用いて、液晶
パネル３Ｒ，３Ｇ，３Ｂに対する照明領域を上下方向に変化させる例を説明したが、ズー
ムレンズ１３の光軸及び投写レンズ６の光軸を上下左右に移動可能とする機構を設けるよ
うにすれば、特定画像形成領域を液晶パネル３Ｒ，３Ｇ，３Ｂ上で図７に示したように移
動させることができる。
【００９２】
以上説明したように、実施形態３に係るプロジェクタにおいても、実施形態２と同様、
小画面サイズの表示を行う際、照明を行うべき特定画像形成領域が液晶パネル３Ｒ，３Ｇ
，３Ｂの画像形成領域上で移動するので、液晶パネル３Ｒ，３Ｇ，３Ｂにおける画像形成
領域のある特定の領域のみが他の領域に比べて、より速く経時劣化が進んでしまうといっ
た不具合を防止することができる。
【００９３】
また、実施形態３に係るプロジェクタを用いることによっても、図４に示したプロジェ
クションＴＶを構成することができることは勿論である。すなわち、プロジェクションＴ
Ｖに用いられるプロジェクタＰＪが図８及び図９に示すような構成を有することにより、
番組の内容などに応じてユーザは、画面サイズの設定を大画面サイズと小画面サイズのい
ずれかに設定することができる。
【００９４】
[実施形態４]
図１１は実施形態４に係るプロジェクタにおける光学系の構成を示す図である。実施形
態４に係るプロジェクタにおける光学系は、照明光学系１として、複数のＬＥＤ１５１，
１５１，・・・を有するＬＥＤアレイ１５と、ＬＥＤアレイ１５を構成する各ＬＥＤ１５
１，１５１，・・・に対応して設けられた複数のロッドインテグレータ１６１，１６１，
・・・とを用いた点が実施形態１〜３に係るプロジェクタと異なる。なお、図１１におい
て、実施形態１〜３に係るプロジェクタ（図１とする）と同一符号が付された構成要素は
、図１と同一構成要素である。
【００９５】
ＬＥＤアレイ１５は、マトリクス状に配列された複数のＬＥＤ１５１，１５１，・・・
を有している。また、複数のロッドインテグレータ１６１，１６１，・・・は、ＬＥＤ１
５１，１５１，・・・と各液晶パネル３Ｒ，３Ｇ，３Ｂとの間に介在され、各ＬＥＤ１５
１，１５１，・・・からの照明光を対応する液晶パネル３Ｒ，３Ｇ，３Ｂに導く。
【００９６】
図１２は図１１に示すプロジェクタにおける液晶パネル３Ｒ，３Ｇ，３Ｂのある１つの
液晶パネルに対応して設けられるロッドインテグレータ１６１，１６１，・・・の配列を
示す図である。図１２に示すように、複数のロッドインテグレータ１６１，１６１，・・
・がマトリクス状に配列されている。
【００９７】
また、ＬＥＤアレイ１５の各ＬＥＤ１５１，１５１，・・・の点灯制御は、画像表示制
御装置１００（図１参照）における画像表示処理部１０５の照明領域制御部１０５ａが光
源駆動部１１１を制御することによって、ＬＥＤアレイ１５の各ＬＥＤ１５１，１５１，
・・・の点灯制御を行う。
【００９８】
例えば、図２に示したような特定画像形成領域を設定する場合は、特定画像形成領域を
照明するための照明領域Ａ２を形成するように、照明領域制御部１０５ａが光源駆動部１
１１を駆動する。すなわち、照明領域制御部１０５ａは、マトリクス状の配列を有するＬ
ＥＤアレイ１５のうちのＬＥＤ１５１，１５１，・・・のうち、照明領域Ａ２の照明を行
うに必要なＬＥＤのみを点灯させるように光源駆動部１１１を制御する。
【００９９】
また、各液晶パネル３Ｒ，３Ｇ，３Ｂが有する本来の画像形成領域全体を照明する際は
、照明領域制御部１０５ａは、ＬＥＤアレイ１５のすべてのＬＥＤを点灯させるように光
源駆動部１１１を制御する。
このように、実施形態４に係るプロジェクタにおいては、ＬＥＤアレイ１５と光源駆動
部１１１が照明領域変更手段としての機能を有する。
【０１００】
なお、実施形態４に係るプロジェクタにおいても、液晶パネル３Ｒ，３Ｇ，３Ｂが有す
る本来の画像形成領域上において所定のタイミングごとに特定画像形成領域の位置を図７
で示すように変化させることができる。
【０１０１】
実施形態４に係るプロジェクタにおいては、特定画像形成領域の位置を図７に示すよう
に変化させる場合、照明領域制御部１０５ａが光源駆動部１１１を制御して、所定の領域
の照明に必要なＬＥＤのみを点灯させることにより行う。すなわち、あるタイミングでは
、図７（ａ）に示す位置に特定画像形成領域が形成されるように、光源駆動部１１１を制
御し、また、あるタイミングでは、図７（ｂ）に示す位置に特定画像形成領域が形成され
るように、光源駆動部１１１を制御するというような制御を行うことによって、所定のタ
イミングごとに、特定画像形成領域の位置を図７に示すように変化させることができる。
【０１０２】
このように、特定画像形成領域を液晶パネル３Ｒ，３Ｇ，３Ｂ上で変化させる場合、投
写レンズ６の光軸を所定量だけ平行移動させることによって、表示面５上では、表示画像
の位置を変化させないようにすることもできる。
【０１０３】
また、特定画像形成領域を設定する際には、特定画像形成領域以外の領域に光が照射さ
れないように、実施形態１〜３に係るプロジェクタと同様、遮光手段としての遮光板８に
よって特定画像形成領域以外の領域を遮光するとともに、特定画像形成領域以外の領域に
黒画像挿入を行うことが好ましい。
【０１０４】
以上説明したように、実施形態４に係るプロジェクタにおいても、前述した実施形態１
に係るプロジェクタと同様に特定画像形成領域の設定が可能となる。したがって、実施形
態４に係るプロジェクタを用いることによっても、図４に示したプロジェクションＴＶを
構成することができる。
【０１０５】
なお、以上説明した実施形態１〜４においては、遮光板８は、前記各実施形態では液晶
パネル３Ｒ，３Ｇ，３Ｂの照明光学系１側に設置した例で説明したが、投写レンズ６側に
設置することも可能である。
【０１０６】
また、実施形態１〜４では、透過型の液晶パネルを用いた例を説明したが、反射型の液
晶パネルであってもよい。また、実施形態１〜４では、３板式の液晶パネルとしたが単板
式の液晶パネルであってもよい。また、光変調素子はデジタルマイクロミラーデバイスな
どであってもよい。
【０１０７】
また、本発明は焦点固定型の前面投写式の画像表示装置及びその画像表示装置に用いら
れるプロジェクタにも適用できる。図１６は焦点固定型のプロジェクタを用いた前面投写
型の画像表示装置の一例を概略的に示す図である。このような前面投写型の画像表示装置
においても、表示面５上で小画面サイズの表示が可能となる。
【０１０８】
[実施形態５]
図１３は実施形態５に係る直視型の画像表示装置における液晶パネル及び光源の構成を
模式的に示す図である。なお、図１３は液晶パネル３と光源としてのＬＥＤアレイ１５の
対応関係を模式的に示す図であり、偏光板、カラーフィルタなど他の構成要素についは図
示が省略されている。
【０１０９】
図１３に示すように、液晶パネル３における照明光の照射面には、ＬＥＤアレイ１５が
設けられている。ＬＥＤアレイ１５は、複数のＬＥＤ１５１，１５１，・・・がマトリク
ス状に配列されている。
【０１１０】
なお、図１３では図示されていないが、特定画像形成領域をより適切に設定するために
、ＬＥＤアレイ１５と液晶パネルとの間にロッドインテグレータなどを設けることも可能
である。
【０１１１】
図１４は実施形態５に係る直視型の画像表示装置における画像表示制御装置の構成を示
す図である。実施形態５に係る直視型の画像表示装置における画像表示制御装置１００は
、表示すべき画像データを入力する画像データ入力部１０１、表示面５における画面サイ
ズの大きさなど各種設定が可能なユーザインタフェース（ＵＩ）部１０２、画像表示制御
装置１００が行う処理に必要な各種のデータを記憶する記憶部１０３、液晶パネル３を駆
動する液晶パネル駆動部１０４、画像表示を行うに必要な各種の処理を行う画像表示処理
部１０５を有している。
【０１１２】
画像表示処理部１０５は、照明領域制御部１０５ａ、解像度変換部１０５ｂ、遮光手段
制御部１０５ｃ、黒画像挿入制御部１０５ｄを有し、その他、色補正処理など各種の補正
処理を行う機能、ユーザインタフェース部１０２によるユーザの設定内容に応じた処理を
行う機能などを有している。
【０１１３】
なお、実施形態５に係る画像表示装置においても、実施形態４に係るプロジェクタと同
様、ＬＥＤアレイ１５と光源駆動部１１１が照明領域変更手段としての機能を有する。し
たがって、実施形態５に係る画像表示装置における照明領域制御部１０５ａは、実施形態
４に係るプロジェクタと同様、特定画像形成領域を設定する際には、特定画像形成領域を
設定に必要なＬＥＤのみを点灯させるように光源駆動部１１１を制御し、また、液晶パネ
ル３が有する本来の画像形成領域全体を照明する際は、すべてのＬＥＤを点灯させるよう
に光源駆動部１１１を制御する。
【０１１４】
このような構成において、例えば、図２に示した特定画像形成領域を設定する場合は、
照明領域Ａ２が形成されるように、照明領域制御部１０５ａが光源駆動部１１１を駆動す
る。
【０１１５】
図１５は特定画像形成領域を設定する際のＬＥＤの点灯状態の一例を示す図である。図
１５において、濃いグレー色で示したＬＥＤは消灯状態、薄いグレー色で示したＬＥＤは
点灯状態となっていることを示している。このように、特定画像形成領域を設定する際は
、特定画像形成領域を照明するＬＥＤのみを点灯させ、それ以外のＬＥＤは消灯状態とす
る。なお、液晶パネル３が本来有する画像形成領域全体を照明する際は、図１５に示すＬ
ＥＤ１５１，１５１，・・・をすべて点灯状態とする。
【０１１６】
実施形態５に係る画像表示装置においても、実施形態１〜４に係るプロジェクタと同様
に特定画像形成領域の設定が可能となる。したがって、大画面の液晶ＴＶなどにおいて、
番組などに応じた画面サイズの設定が可能となる。
【０１１７】
なお、実施形態５に係る画像表示装置においても、前述の各実施形態と同様、特定画像
形成領域を設定する際には、特定画像形成領域以外の領域に光が照射されないように、遮
光手段を設けることが好ましい。遮光手段としては、例えば、光透過率をほぼ０％とほぼ
１００％とに切り替え可能な液晶パネルやエレクトロクロミックガラスなどを遮光板８と
して用いることができる。また、特定画像形成領域以外の領域に黒画像挿入を行うように
してもよく、黒画像挿入と遮光板８を組み合わせることによって、特定画像形成領域をよ
り適切に設定することができる。
【０１１８】
また、実施形態５に係る画像表示装置においても、液晶パネル３が有する本来の画像形
成領域上において所定のタイミングごとに特定画像形成領域の位置を図７で示すように変
化させることができる。
【０１１９】
実施形態５に係る画像表示装置においては、特定画像形成領域の位置を図７に示すよう
に変化させる制御は、照明領域制御部１０５ａが光源駆動部１１１を制御することにより
行うことができる。すなわち、あるタイミングでは、図７（ａ）に示す位置に特定画像形
成領域が形成されるように、光源駆動部１１１を点灯制御し、また、あるタイミングでは
、図７（ｂ）に示す位置に特定画像形成領域が形成されるように、光源駆動部１１１を点
灯制御するというような制御を行うことによって、所定のタイミングごとに、特定画像形
成領域の位置を図７に示すように変化させることができる。
【０１２０】
なお、本発明は前述の各実施形態に限られるものではなく、本発明の要旨を逸脱しない
範囲で種々変形実施可能となるものである。例えば、遮光手段としては、遮光板と黒画像
挿入の両方を用いることが好ましいとしたが、遮光板と黒画像挿入のいずれかのみであっ
てもよい場合もある。
【０１２１】
また、前記各実施形態では、画面サイズの変更は、ユーザが好みに応じて設定するよう
にしたが、表示すべき画像の内容に応じて画像表示処理部１０５が自動的に画面サイズを
設定することも可能である。また、画面サイズは前述の各実施形態では、画像表示装置が
有する本来の画面サイズ（大画面サイズ）とそれよりも小さい小画面サイズの２種類とし
たが、小画面サイズをより多段階に設定することも可能である。
【図面の簡単な説明】
【０１２２】
【図１】実施形態１に係るプロジェクタにおける光学系の構成を示す図。
【図２】液晶パネル３Ｒ，３Ｇ，３Ｂに対して照明領域を縮小する例を示す図。
【図３】実施形態１に係るプロジェクタにおける画像表示制御装置の構成を示す図。
【図４】プロジェクションＴＶの構成を概略的に示す図
【図５】実施形態２に係るプロジェクタにおける光学系の構成を示す図。
【図６】実施形態２に係るプロジェクタにおける画像表示制御装置の構成を示す図。
【図７】液晶パネル３Ｒ，３Ｇ，３Ｂが有する本来の画像形成領域上において所定のタイミングごとに特定画像形成領域の位置を変化させる例を示す図。
【図８】実施形態３に係るプロジェクタにおける光学系の構成を示す図。
【図９】実施形態３に係るプロジェクタにおける画像表示制御装置の構成を示す図。
【図１０】ズームレンズ１３の光軸を上方向に任意の量だけ平行移動させる制御を行うことにより各液晶パネル３Ｒ，３Ｇ，３Ｂ上で特定画像形成領域の位置を変化させる例を示す図。
【図１１】実施形態４に係るプロジェクタにおける光学系の構成を示す図。
【図１２】図１１に示すプロジェクタにおける各液晶パネル３Ｒ，３Ｇ，３Ｂのある１つの液晶パネルに対応して設けられるロッドインテグレータを示す図。
【図１３】実施形態５に係る直視型の画像表示装置における液晶パネル及び光源の構成を模式的に示す図。
【図１４】実施形態５に係る直視型の画像表示装置における画像表示制御装置の構成を示す図。
【図１５】特定画像形成領域を設定する際におけるＬＥＤの点灯状態の一例を示す図。
【図１６】焦点固定型のプロジェクタを用いた前面投写型の画像表示装置の一例を概略的に示す図。
【符号の説明】
【０１２３】
１・・・照明光学系、２・・・色分離光学系、３Ｒ，３Ｇ，３Ｂ・・・液晶パネル、４
・・・クロスダイクロイックプリズム、５・・・表示面、６・・・投写レンズ、８・・・
遮光板、１１・・・光源、１３・・・ズームレンズ、１５・・・ＬＥＤアレイ、１００・
・・画像表示制御装置、１０５・・・画像表示処理部、１０５ａ・・・照明領域制御部、
１０５ｂ・・・解像度変換部、１０５ｃ・・・遮光手段制御部、１０５ｄ・・・黒画像挿
入制御部、１０５ｅ・・・光源出力制御部、１０５ｆ液晶パネル移動機構部、１０５ｇ・
・・第１の光軸移動機構制御部、１０５ｈ・・・第２の光軸移動機構制御部、１５１・・
・ＬＥＤ、１６１・・・ロッドインテグレータ、Ａ１，Ａ２・・・表示領域
【図３】
2007304563.tif 000003
【図６】
2007304563.tif 000004
【図９】
2007304563.tif 000005
【図１２】
2007304563.tif 000006
【図１４】
2007304563.tif 000007
【図１】
2007304563.tif 000008
【図２】
2007304563.tif 000009
【図４】
2007304563.tif 000010
【図５】
2007304563.tif 000011
【図７】
2007304563.tif 000012
【図８】
2007304563.tif 000013
【図１０】
2007304563.tif 000014
【図１１】
2007304563.tif 000015
【図１３】
2007304563.tif 000016
【図１５】
2007304563.tif 000017
【図１６】
2007304563.tif 000018